(57)【要約】【課題】踏板が固定される側板及びこれに隣接される下地ボードに貼着される壁紙等の表面仕上材の貼着作業性の向上が可能でありながらも、踏板の取り付けによる該表面仕上材への傷付きを抑制し得る階段装置を提供する。【解決手段】階段装置１は、踏板１２と、該踏板の幅方向一側端面１４に沿わせられる固定片部２１及び前記踏板の幅方向一側端部の下面１７に沿わせられて該踏板に固定される支持片部２３を有した支持部材２０と、壁下地２に沿うように固定される下地ボード３と同厚さとされ、前記壁下地に沿うように固定される構成とされ、かつ前記支持部材の固定片部を受け入れる位置決め凹所１１が表面に設けられた側板１０と、を備えており、前記位置決め凹所に受け入れられた前記固定片部の踏板側に向く面２１ａが、前記側板の表面に前記下地ボードの表面と一連状に貼着される表面仕上材４の表面４ａよりも踏板幅方向他側端側に位置する構造とされている。【選択図】図１
2015017426.tif 000002
【特許請求の範囲】
【請求項１】
踏板と、該踏板の幅方向一側端面に沿わせられる固定片部及び前記踏板の幅方向一側端部の下面に沿わせられて該踏板に固定される支持片部を有した支持部材と、壁下地に沿うように固定される下地ボードと同厚さとされ、前記壁下地に沿うように固定される構成とされ、かつ前記支持部材の固定片部を受け入れる位置決め凹所が表面に設けられた側板と、を備えており、
前記位置決め凹所に受け入れられた前記固定片部の踏板側に向く面が、前記側板の表面に前記下地ボードの表面と一連状に貼着される表面仕上材の表面よりも踏板幅方向他側端側に位置する構造とされていることを特徴とする階段装置。
【請求項２】
請求項１において、
前記支持部材の固定片部は、その上下寸法が前記踏板の厚さ寸法よりも小さい寸法とされていることを特徴とする階段装置。
【請求項３】
請求項１または２において、
前記支持部材の固定片部は、その奥行寸法が前記踏板の奥行寸法よりも小さい寸法とされ、前記踏板の幅方向一側端面の奥行方向奥側に寄った部位に沿わせられる構成とされていることを特徴とする階段装置。
【請求項４】
請求項１乃至３のいずれか１項において、
前記支持部材には、前記踏板側に向けて突出する係合突部が設けられ、前記踏板には、該係合突部が嵌め入れられて前記支持部材に対する奥行方向の位置決めを可能とする係合凹部が設けられていることを特徴とする階段装置。
【請求項５】
請求項１乃至４のいずれか１項において、
上下に隣り合う踏板間を覆うように配設される蹴込板と、該蹴込板の下端部を受け入れる凹溝を形成し、下段側の踏板の奥側端面に固定される下端支持部材と、前記蹴込板の側板側の側端部に係合し、該側板に沿うように固定される側端係合部材と、を更に備えており、
前記支持部材の支持片部は、その前端が前記下段側の踏板の奥側端面に固定された蹴込板よりも奥行方向奥側に位置するように固定される構成とされていることを特徴とする階段装置。
【発明の詳細な説明】
【技術分野】
【０００１】
本発明は、住居等の建物に設置される階段装置に関する。
【背景技術】
【０００２】
従来より、踏板の端部を支持する側桁（側板）を、住居等の建物の壁部に沿わせ、壁部表面から突出させるように固定した構造とされた階段構造が知られている。このような構造とすれば、側桁が壁部から突出するという問題があった。
例えば、下記特許文献１では、上下両側に配設される石膏ボードと同じ厚さとされた合板などからなる支持部材によって階段の段板を支持させた構造とした階段構造が提案されている。この階段構造は、支持部材に設けられた段板の側端部が嵌め込まれる支持孔に断面Ｌ字状に形成された支持金具の縦片部を固定し、段板の側端部を支持孔に嵌め込み、支持金具の横片部に段板の側端部を固定した構造とされている。また、支持部材及び石膏ボードの表面に、仕上げ材としての壁紙等を貼り付けた構造とされている。
【先行技術文献】
【特許文献】
【０００３】
【特許文献１】特開２００７−３２１５００号公報
【発明の概要】
【発明が解決しようとする課題】
【０００４】
しかしながら、上記特許文献１に記載された階段構造は、段板の側端部を、支持部材の支持孔に嵌め込んだ構造としている。そのため、上記仕上げ材を貼り付けた後に段板を固定する場合には段板によって仕上げ材に傷が付き易くなることが考えられ、段板を固定した後に上記仕上げ材を貼り付ける場合には段板によって仕上げ材の貼り付けがし難くなることが考えられ、更なる改善が望まれる。
【０００５】
本発明は、上記実情に鑑みてなされたものであり、踏板が固定される側板及びこれに隣接される下地ボードに貼着される壁紙等の表面仕上材の貼着作業性の向上が可能でありながらも、踏板の取り付けによる該表面仕上材への傷付きを抑制し得る階段装置を提供することを目的としている。
【課題を解決するための手段】
【０００６】
上記目的を達成するために、本発明に係る階段装置は、踏板と、該踏板の幅方向一側端面に沿わせられる固定片部及び前記踏板の幅方向一側端部の下面に沿わせられて該踏板に固定される支持片部を有した支持部材と、壁下地に沿うように固定される下地ボードと同厚さとされ、前記壁下地に沿うように固定される構成とされ、かつ前記支持部材の固定片部を受け入れる位置決め凹所が表面に設けられた側板と、を備えており、前記位置決め凹所に受け入れられた前記固定片部の踏板側に向く面が、前記側板の表面に前記下地ボードの表面と一連状に貼着される表面仕上材の表面よりも踏板幅方向他側端側に位置する構造とされていることを特徴とする。
【０００７】
本発明においては、前記支持部材の固定片部の上下寸法を、前記踏板の厚さ寸法よりも小さい寸法としてもよい。
また、本発明においては、前記支持部材の固定片部の奥行寸法を、前記踏板の奥行寸法よりも小さい寸法とし、該固定片部を、前記踏板の幅方向一側端面の奥行方向奥側に寄った部位に沿わせられる構成としてもよい。
また、本発明においては、前記支持部材に、前記踏板側に向けて突出する係合突部を設け、前記踏板に、該係合突部が嵌め入れられて前記支持部材に対する奥行方向の位置決めを可能とする係合凹部を設けてもよい。
また、本発明においては、上下に隣り合う踏板間を覆うように配設される蹴込板と、該蹴込板の下端部を受け入れる凹溝を形成し、下段側の踏板の奥側端面に固定される下端支持部材と、前記蹴込板の側板側の側端部に係合し、該側板に沿うように固定される側端係合部材と、を更に備えたものとし、前記支持部材の支持片部を、その前端が前記下段側の踏板の奥側端面に固定された蹴込板よりも奥行方向奥側に位置するように固定される構成としてもよい。
【発明の効果】
【０００８】
本発明に係る階段装置は、上述のような構成としたことで、踏板が固定される側板及びこれに隣接される下地ボードに貼着される壁紙等の表面仕上材の貼着作業性の向上が可能でありながらも、踏板の取り付けによる該表面仕上材への傷付きを抑制することができる。
【図面の簡単な説明】
【０００９】
【図１】本発明の一実施形態に係る階段装置の一例及び同階段装置を用いた階段構造の一例を模式的に示し、図２におけるＸ−Ｘ線矢視に対応させた一部破断概略縦断面図である。
【図２】同階段装置の一部破断概略縦断面図である。
【図３】（ａ）は、同階段装置が備える側板の一例を模式的に示す一部破断概略側面図、（ｂ）、（ｃ）は、同階段装置の施工手順の一例を模式的に示し、図１に対応させた一部破断概略縦断面図である。
【図４】同階段装置が備える支持部材の一例を模式的に示す概略斜視図である。
【発明を実施するための形態】
【００１０】
以下に本発明の実施の形態について、図面に基づいて説明する。
図１〜図４は、本実施形態に係る階段装置の一例を模式的に示す図である。
なお、以下の実施形態では、施工された階段装置に下階側から対面した状態を基準として、手前側を前方、その逆側を後方（奥方）とし、また、その状態を基準として、上下方向等の方向を説明する。
【００１１】
本実施形態に係る階段装置１は、図１及び図２に示すように、踏板１２と、壁下地２に沿うように固定される側板１０と、この側板１０及び踏板１２の幅方向（階段幅方向）一側端部にそれぞれ固定され、踏板１２を支持する支持部材２０と、を備えている。この階段装置１は、当該階段装置１によって形成される階段の段数に応じた複数枚の踏板１２を備えたものとしてもよい。
側板１０が固定される壁下地２は、間柱等の柱材や、スタッド、鋼材、鉄筋コンクリート等の建物の構造躯体等を構成するものとしてもよい。
【００１２】
この階段装置１は、住居等の建物内の下階と上階との階段として施工されるものとしてもよく、または、屋根裏部屋等のロフトへの階段として施工されるものとしてもよい。また、階段装置１は、直階段（ストレート階段）や廻り階段、折り返し階段、かね折れ状階段等として施工されるものとしてもよい。また、階段装置１は、その階段幅方向一方側の全部または一部が開放された片側オープン階段として施工されるものとしてもよく、または、両側に壁部が形成される階段として施工されるものとしてもよい。片側オープン階段として施工される場合には、適宜、必要に応じて、踏板１２の幅方向他側端側を支持するささら桁（側桁）等を更に備えたものとしてもよい。また、両側に壁部が形成される階段として施工される場合には、踏板１２の幅方向他側端部に固定される支持部材２０及びこの支持部材２０が固定される側板１０を備えた構成としてもよい。つまり、踏板１２と、この幅方向両側に配設される支持部材２０，２０及びこれら両側の支持部材２０，２０がそれぞれに固定される側板１０，１０を備えた階段装置１としてもよい。
【００１３】
踏板１２は、矩形平板状とされており、その上面１３が階段の踏面となる。
この踏板１２は、図２に示すように、下段側の踏板１２の奥側端面としての後端面１６よりもこれの上段側に隣り合う踏板１２の前端部が段鼻を形成するように前方に向けて突出するように配設される構成とされている。つまり、これら上下に隣り合う踏板１２，１２は、下段側の踏板１２の後端部と上段側の踏板１２の前端部とが平面視して重なり合うように配設される構成とされている。
【００１４】
また、本実施形態では、図２に示すように、踏板１２に、後記する支持部材２０に設けられた係合突部２５が嵌め入れられて支持部材２０に対する奥行方向の位置決めを可能とする係合凹部１８を設けている。本実施形態では、踏板１２の下面１７に、係合凹部を構成する係合凹溝１８を設けている。この係合凹溝１８は、踏板１２の幅方向に延び、かつ下方に向けて開口するように設けられている。この係合凹溝１８は、踏板１２の全幅に亘って設けるようにしてもよく、係合突部２５に応じた部位のみに設けるようにしてもよい。また、この係合凹溝１８は、図２に示すように、下段側の踏板１２の後端面１６よりも踏板１２の奥行方向（前後方向）奥側（後側）に位置するように設けられている。
【００１５】
なお、踏板１２は、木質系材料や合成樹脂系材料、木粉（木質）・プラスチック複合材（ＷＰＣ）等から形成されたものとしてもよい。また、これらからなる基材の表面に、突板や樹脂フィルム等の表面化粧シートが貼着されたり、塗装が施されたりして表面化粧処理が施されたものとしてもよい。
また、踏板１２の前端部の上下両縁部を面取り形状としてもよい。
【００１６】
また、本実施形態では、階段装置１は、図２に示すように、上下に隣り合う踏板１２，１２間を覆うように配設される蹴込板２６を備えている。
蹴込板２６は、矩形平板状とされており、本実施形態では、この蹴込板２６を、比較的に薄板状としている。
また、本実施形態では、階段装置１は、この蹴込板２６の下端部を受け入れる凹溝を形成し、下段側の踏板１２の後端面１６に固定される下端支持部材２７を備えている。図例では、踏板１２の後端面１６に固定される片部の上側に、踏板１２の後端面１６とによって上方に向けて開口する凹溝を形成する片部を連成した略Ｚ字状とされた下端支持部材２７を例示している。このような構成とすれば、蹴込板２６の下端部の前面を踏板１２の後端面１６に当接させることができ、下端支持部材２７を目立ち難くすることができる。
【００１７】
また、階段装置１は、蹴込板２６の側板１０側の側端部に係合し、側板１０に沿うように固定される側端係合部材２８を備えている。この側端係合部材２８は、蹴込板２６の側端部の位置ずれを抑制し、側板１０との隙間を塞ぐような形状とされたものとしてもよい。例えば、側板１０に沿うように固定される一片部と、蹴込板２６の側端部の後面に固定される他片部と、を有した横断面略Ｌ字状とされた側端係合部材２８としてもよい（図１も参照）。また、この側端係合部材２８は、下端支持部材２７から上段側の踏板１２の下面に至る上下寸法とされたものとしてもよい。なお、上記のように、踏板１２の両側に側板１０，１０が配設される場合には、蹴込板２６の両側に配設される側端係合部材２８，２８を有したものとしてもよい。
【００１８】
蹴込板２６は、その上端を上段側の踏板１２の下面１７に当接させ、下端部を下段側の踏板１２の後端面１６に固定された下端支持部材２７によって形成される凹溝に嵌め入れ、側端部を側端係合部材２８に係合させて配設される。
このような構成により、本実施形態では、これら下端支持部材２７及び側端係合部材２８を用いて、蹴込板２６を後付可能としている。つまり、上下の踏板１２，１２に蹴込板２６の上下端部を受け入れる凹溝を設け、踏板１２，１２の施工時に蹴込板２６を施工する必要があるようなものではなく、踏板１２，１２の施工後に容易に取付可能な構成としている。
【００１９】
なお、上記した踏板１２の下面１７に設けられた係合凹溝１８は、図２に示すように、下段側の踏板１２の後端面１６に固定された蹴込板２６（及びこの蹴込板２６の側端部に係合する側端係合部材２８）と干渉しないような位置となるように設けられている。図例では、踏板１２の係合凹溝１８を、当該係合凹溝１８が設けられた踏板１２の下面１７に上端が当接される側端係合部材２８よりも後側に位置するように設けた例を示している。
また、これら下端支持部材２７及び側端係合部材２８は、それぞれの固定対象に対して、ねじや釘等の止具や、接着剤等によって固定するようにしてもよい。また、これら下端支持部材２７及び側端係合部材２８は、木質系材料や合成樹脂系材料、金属系材料等から形成されたものとしてもよい。また、蹴込板２６も同様、木質系材料や合成樹脂系材料、金属系材料等から形成されたものとしてもよい。また、蹴込板２６は、踏板１２と同様、表面に、表面化粧処理が施されたものとしてもよい。また、蹴込板２６を、透光性を有したものとしてもよい。
【００２０】
支持部材２０は、図１に示すように、踏板１２の幅方向一側端面（一側端面）１４に沿わせられる固定片部２１と、踏板１２の幅方向一側端部の下面１７に沿わせられて踏板１２に固定される支持片部２３と、を備えている。
この支持部材２０は、これら固定片部２１と支持片部２３とによって正面視して（踏板１２の奥行方向に沿う方向に見て）略Ｌ字状とされている。
この支持部材２０は、金属系材料等から形成されたものとしてもよい。
【００２１】
固定片部２１は、図２及び図４に示すように、踏板１２の前後方向に長尺な形状とされている。
また、本実施形態では、この固定片部２１に、側板１０に止着されるねじや釘等の止具５の止具穴２２を設けている。本実施形態では、止具穴２２を、固定片部２１を厚さ方向（踏板１２の幅方向に沿う方向）に貫通させた構成とし、止具５の頭部を受け入れる皿穴状としている。また、固定片部２１に、長手方向（前後方向）に沿って間隔を空けて複数（図例では、４つ）の止具穴２２を設けた例を示している。また、図例では、これら複数の止具穴２２の少なくとも一つの止具穴２２と残余の止具穴２２とを異なる高さ位置となるように設けた例を示している。
【００２２】
当該支持部材２０は、この固定片部２１の止具穴２２を介して側板１０に止着された止具５によって側板１０に対して固定される。なお、止具５を側板１０のみならず、壁下地２に対しても止着するようにしてもよい。これによれば、後記する側板１０の厚さ寸法が比較的に小さいような場合にも支持部材２０を固定対象としての壁下地２に対して強固に固定することができ、当該支持部材２０を介して踏板１２を強固に支持させることができる。
また、この固定片部２１の厚さ寸法（踏板１２の幅方向に沿う寸法）は、当該固定片部２１の強度や見栄え上の観点や、後記する側板１０の厚さ寸法等に応じて適宜、設定するようにしてもよく、例えば、２ｍｍ〜１０ｍｍ程度としてもよく、３ｍｍ〜５ｍｍ程度としてもよい。
【００２３】
また、本実施形態では、この固定片部２１の上下寸法を、踏板１２の厚さ寸法よりも小さい寸法としている。この固定片部２１の上下寸法は、踏板１２の下面１７に沿うように固定される支持片部２３からの上下寸法が、踏板１２の厚さ寸法よりも小さい寸法とすればよい。また、この固定片部２１の上下寸法は、当該固定片部２１の強度上の観点や止具穴２２を設ける位置等に応じて適宜、設定するようにしてもよく、また、踏板１２の上面１３側から固定片部２１が目立ち難くなるような寸法としてもよい。例えば、固定片部２１の上下寸法を、踏板１２の厚さ寸法の１／２〜踏板１２の厚さ寸法未満としてもよく、図例では、固定片部２１の上下寸法を、踏板１２の厚さ寸法の４／５程度とした例を示している。
【００２４】
また、本実施形態では、この固定片部２１の奥行寸法（前後寸法）を、踏板１２の奥行寸法（前後寸法）よりも小さい寸法とし、固定片部２１を、踏板１２の一側端面１４の前後方向後側に寄った部位に沿わせられる構成としている。この固定片部２１の前後寸法は、上記同様、当該固定片部２１の強度上の観点や止具穴２２を設ける位置等に応じて適宜、設定するようにしてもよく、また、踏板１２の前端面１５側から固定片部２１が目立ち難くなるような寸法としてもよい。例えば、固定片部２１の前後寸法を、踏板１２の前後寸法の１／２〜踏板１２の前後寸法未満としてもよく、図例では、前後寸法が踏板１２の前後寸法の２／３程度とされた固定片部２１を、踏板１２の一側端面１４の後側に寄った部位に沿わせた例を示している。
【００２５】
また、図例では、この固定片部２１の前端部を、固定片部２１を厚さ方向に見て前方に凸の凸湾曲形状（略半円形状）とした例を示しているが、このような形状に限られず、厚さ方向に見て矩形状とされた固定片部２１としてもよい。
支持片部２３は、固定片部２１の下端縁から踏板１２の幅方向他側端側（幅方向中心側）に向けて突出するように一連に形成されている。この支持片部２３は、固定片部２１と同様、踏板１２の前後方向に長尺な形状とされている。図例では、この支持片部２３の前後寸法を、凸湾曲形状とされた前端部を除いた固定片部２１の前後寸法と概ね同寸法とした例を示している。
【００２６】
また、本実施形態では、この支持片部２３に、踏板１２に止着されるねじや釘等の止具６の止具穴２４を設けている。本実施形態では、止具穴２４を、支持片部２３を厚さ方向（踏板１２の厚さ方向に沿う方向）に貫通させた構成としている。なお、この止具穴２４を、上記同様、止具６の頭部を受け入れる皿穴状の止具穴２４としてもよい。
また、支持片部２３に、長手方向（前後方向）に沿って間隔を空けて複数（図例では、３つ）の止具穴２４を設けた例を示している。また、図例では、これら複数の止具穴２４の少なくとも一つの止具穴２４と残余の止具穴２４とを踏板１２の幅方向において異なる位置となるように設けた例を示している。
【００２７】
踏板１２は、この支持片部２３の止具穴２４を介して踏板１２に止着された止具６によって支持部材２０に対して固定される。なお、この止具６は、適宜、踏板１２を貫通しないような長さ寸法とされたものとしてもよい。
また、この支持片部２３の厚さ寸法（踏板１２の厚さ方向に沿う寸法）は、上記した固定片部２１と同様、当該支持片部２３の強度や見栄え上の観点等に応じて適宜、設定するようにしてもよく、例えば、２ｍｍ〜１０ｍｍ程度としてもよく、３ｍｍ〜５ｍｍ程度としてもよい。図例では、固定片部２１と支持片部２３とを同厚さ寸法とした例を示している。なお、この支持片部２３を受け入れる切欠状の凹所を踏板１２の側端部の下面に設けた構成としてもよい。
【００２８】
また、本実施形態では、支持部材２０に、踏板１２側に向けて突出する係合突部２５を設けている。この係合突部２５は、踏板１２に設けられた係合凹部としての係合凹溝１８に嵌め入れられる構成とされている。本実施形態では、この係合突部２５を、係合凹溝１８の位置に応じた位置となるように、支持部材２０の前端部近傍部位に設けている。また、この係合突部２５を、固定片部２１と支持片部２３との入隅部に設けている。また、係合突部２５を、矩形溝形状とされた係合凹溝１８に対応させて、踏板１２の幅方向に沿う方向に見て矩形状とした例を示している。
側板１０に固定された支持部材２０の係合突部２５を、踏板１２の係合凹溝１８に嵌め入れることで、支持部材２０に対する踏板１２の前後方向の位置決めが可能となる。
【００２９】
なお、この係合突部２５を、支持片部２３の踏板１２の幅方向に沿う方向の途中部位に設けた態様としてもよく、また、支持片部２３の踏板１２の幅方向に沿う方向の全体に亘って設けた態様としてもよい。また、係合突部２５の踏板１２の幅方向に沿う方向に見た形状は、係合凹溝１８の形状に応じた形状とすればよく、例えば、係合凹溝１８を、Ｕ字溝形状やＶ字溝形状、台形溝形状、蟻溝形状等、その他の溝形状とした場合には、この溝形状に応じた形状とすればよい。さらには、係合突部２５を、固定片部２１に設け、係合凹部（係合凹溝）１８を、踏板１２の一側端面１４に設けた態様としてもよい。
【００３０】
側板１０は、図２及び図３（ａ）に示すように、当該階段装置１によって形成される階段の勾配に応じて斜め状に配設される板状とされている。この側板１０は、無垢の木材や、合板等の木質積層板、集成木材、木質繊維板等の木質系材料から形成されたものとしてもよく、また、合成樹脂系材料や、木粉（木質）・プラスチック複合材（ＷＰＣ）等から形成されたものとしてもよい。
また、この側板１０は、壁下地２に沿うように固定される下地ボード３と同厚さとされている。このような下地ボード３としては、石膏ボード（プラスターボード）等の無機質板としてもよく、または、合板等の木質系材料を板状に加工したものとしてもよい。この下地ボード３の厚さ寸法は、例えば、５ｍｍ〜２０ｍｍ程度とされたものとしてもよい。また、規格化された下地ボード３としてもよく、例えば、厚さ寸法が、９．５ｍｍや１２．５ｍｍ、１５ｍｍ等とされたものとしてもよい。
【００３１】
また、下地ボード３は、図１及び図２に示すように、側板１０の斜め上方に向く面（前端面）及び斜め下方に向く面（後端面）に、それぞれの端面を突き合わせて施工される。
このような構成により、側板１０及びこの側板１０の前後両側の下地ボード３，３を壁下地２に沿わせて固定した状態では、側板１０及び下地ボード３，３の表面（厚さ方向反壁下地側に向く面）が略同一平面状となる構成とされている。
なお、側板１０の厚さ寸法は、下地ボード３の厚さ寸法よりも僅かに小さい寸法（例えば、１ｍｍ程度小さい寸法や０．５ｍｍ程度小さい寸法）とされたものも同厚さに含むものとする。このような場合にも、下地ボード３の表面と側板１０の表面との段差は、外観上では然程目立ち難くなる。また、後記する表面仕上材４の貼着がなされる際には、貼着対象の全体の表面の凹凸等を抑制するための下地処理（パテ処理）等が一般的にはなされるため、上記のような段差をより抑制することができる。
【００３２】
また、この側板１０の表面には、支持部材２０の固定片部２１を受け入れる位置決め凹所１１が設けられている。この位置決め凹所１１は、踏板１２の配設位置に応じた位置となるように、また、当該階段装置１が備える踏板１２の枚数に応じて複数箇所に設けられている。つまり、側板１０の長手方向に沿って間隔を空けて複数箇所に位置決め凹所１１が設けられている。
また、本実施形態では、この位置決め凹所１１の側板１０の厚さ方向に見た形状を、図３（ａ）に示すように、前端側が略半円形状とされた支持部材２０の固定片部２１の外周形状に対応させた形状としている。なお、この位置決め凹所１１は、この位置決め凹所１１に厚さ方向の一部が嵌め入れられた固定片部２１の前後方向及び上下方向のうちの両方または一方への位置決めが可能な形状とすればよい。
上記した支持部材２０は、この位置決め凹所１１の側板１０の厚さ方向に向く凹底面に固定片部２１の反踏板側に向く厚さ方向一方面としての外側面を当接させ、止具５によって側板１０（壁下地２）に固定される。
【００３３】
階段装置１は、位置決め凹所１１に受け入れられた固定片部２１の踏板１２側に向く面（厚さ方向他方面、内側面）２１ａが、側板１０の表面に下地ボード３の表面と一連状に貼着される表面仕上材４の表面４ａよりも踏板幅方向他側端側に位置する構造とされている。つまり、支持部材２０の固定片部２１の厚さ寸法を、位置決め凹所１１の深さ寸法（側板１０の厚さ方向に沿う寸法）に、表面仕上材４の厚さ寸法を加えた寸法よりも大きい寸法としている。
表面仕上材４の表面４ａと固定片部２１の内側面２１ａとの厚さ方向に沿う寸法（段差）は、見栄え上や、踏板１２の着脱等による表面仕上材４の傷付きを抑制する観点等から適宜、設定するようにしてもよい。例えば、表面仕上材４の表面４ａと固定片部２１の内側面２１ａとの厚さ方向に沿う寸法（段差）を、０．５ｍｍ〜３ｍｍ程度としてもよく、好ましくは、０．５ｍｍ〜１．５ｍｍ程度としてもよい。
【００３４】
表面仕上材４は、薄いシート状とされており、例えば、壁紙（クロス）等としてもよく、また、合成樹脂製や紙製、布製のものが挙げられる。また、表面仕上材４は、その厚さ寸法が、０．１ｍｍ〜２ｍｍ程度とされたものとしてもよく、０．５ｍｍ〜１ｍｍ程度とされたものとしてもよい。
この表面仕上材４は、図１及び図２に示すように、側板１０及びこの側板１０の前後両側の下地ボード３，３の表面に一連状に貼着される。なお、この表面仕上材４は、一枚からなるものに限られず、複数枚を隣り合わせるように突き合せて側板１０及びこの側板１０の前後両側の下地ボード３，３の表面に一連状に貼着するようにしてもよい。
【００３５】
次に、上記構成とされた階段装置１の施工手順の一例について説明する。
まず、図３（ａ）に示すように、側板１０を壁下地２に沿わせて固定する。また、この側板１０の前後両側に下地ボード３，３を壁下地２に沿わせて固定する。これら側板１０及び下地ボード３，３は、釘やねじ等の止具や、接着剤等によって壁下地２に固定するようにしてもよい。なお、これら側板１０及び下地ボード３，３は、上下方向や前後方向に沿って複数枚に分割されたものとしてもよい。
次いで、図３（ｂ）に示すように、これら側板１０及び下地ボード３，３の表面に表面仕上材４を貼着する。この表面仕上材４を貼着する前に、適宜、必要に応じて、表面平滑化処理等の下地処理等を施すようにしてもよい。また、この表面仕上材４の貼着後に支持部材２０を固定する場合には、位置決め凹所１１の部位に貼着された表面仕上材４を切除するようにしてもよい。
【００３６】
また、図３（ｂ）、（ｃ）に示すように、側板１０の位置決め凹所１１に、支持部材２０の固定片部２１を受け入れさせ、側板１０に固定する。なお、この支持部材２０を側板１０に固定した後に表面仕上材４を貼着するようにしてもよい。
次いで、図３（ｃ）及び図１に示すように、踏板１２の一側端面１４を支持部材２０の固定片部２１の内側面２１ａに当接させ、この踏板１２を支持片部２３に固定する。この際、支持部材２０の係合突部２５を踏板１２の係合凹溝１８に嵌め入れ、踏板１２の前後方向の位置合わせを行う（図２参照）。
また、蹴込板２６の上端を上段側の踏板１２の下面１７に当接させ、下端部を下段側の踏板１２の後端面１６に当接させ、下端支持部材２７及び側端係合部材２８をそれぞれの固定対象に固定して蹴込板２６を固定し、階段装置１を施工するようにしてもよい。
なお、上記施工手順は一例に過ぎず、各部材等の機能等を阻害しない限りにおいて別手順で行うようにしてもよい。
【００３７】
本実施形態に係る階段装置１は、上述のような構成としたことで、側板１０及びこれに隣接される下地ボード３，３に貼着される表面仕上材４の貼着作業性の向上が可能でありながらも、踏板１２の取り付けによる表面仕上材４への傷付きを抑制することができる。
つまり、踏板１２が固定される側板１０を、壁下地２に沿うように固定される下地ボード３の厚さと同厚さとし、壁下地２に沿うように固定される構成としている。従って、側板１０が下地ボード３の表面から突出するようなことがなく、従来のような壁部表面から突出するように固定される側桁を備えたようなものと比べて、階段の有効幅を大きくすることができる。また、側板１０の表面に下地ボード３の表面と一連状に表面仕上材４を貼着することができるので、側板１０が露出するようなことがなく、すっきりとした印象を与えることができる。
【００３８】
また、踏板１２の幅方向一側端部の下面１７に沿わせられて踏板１２に固定される支持片部２３を有した支持部材２０の固定片部２１を受け入れる位置決め凹所１１を側板１０の表面に設けている。従って、支持部材２０の固定片部２１を側板１０の位置決め凹所１１に受け入れさせて側板１０に固定することができるので、踏板１２を支持する支持部材２０を側板１０に対して容易に位置決めして固定することができ、施工性を向上させることができる。
また、この位置決め凹所１１に受け入れられた固定片部２１の踏板１２側に向く面（内側面）２１ａが、側板１０の表面に下地ボード３の表面と一連状に貼着される表面仕上材４の表面４ａよりも踏板幅方向他側端側に位置する構造としている。従って、踏板１２の幅方向一側端面１４と表面仕上材４の表面４ａとの間に隙間が形成されることとなる。これにより、上記のように、表面仕上材４を貼着した後に踏板１２を取り付ける施工手順とした場合にも、踏板１２の取り付けによって表面仕上材４に傷が付くようなことを抑制することができる。また、これにより、表面仕上材４の貼着作業性の向上が可能となる。また、踏板１２を取り付けた後に、踏板１２を取り外す必要が生じたような場合にも、踏板１２の取り外しによって表面仕上材４に傷が付くようなことを抑制することもできる。
【００３９】
また、本実施形態では、支持部材２０の固定片部２１の上下寸法を、踏板１２の厚さ寸法よりも小さい寸法としている。従って、支持部材２０の支持片部２３に踏板１２を載せ、支持部材２０を介して踏板１２を側板１０に固定した状態で、支持部材２０の固定片部２１が踏板１２の上面１３よりも上方に突出するようなことがなく、目立ち易くなる踏板１２の上面１３側の見栄えを向上させることができる。また、踏板１２の上面１３よりも下方に位置する支持部材２０の固定片部２１の上縁に当接または近接させるように表面仕上材４を貼着することができる。これにより、固定片部２１の上縁に沿う表面仕上材４の縁部に切断誤差等があるような場合にも、目立ち難くすることができる。換言すれば、表面仕上材４の切断誤差等を吸収することができ、表面仕上材４の貼着作業性をより向上させることができる。なお、このような態様に代えて、支持部材２０の固定片部２１の上下寸法を、踏板１２の厚さ寸法と同寸法としたり、踏板１２の厚さ寸法よりも大きい寸法としたりしてもよい。
【００４０】
また、本実施形態では、支持部材２０の固定片部２１の奥行寸法を、踏板１２の奥行寸法よりも小さい寸法とし、この固定片部２１を、踏板１２の幅方向一側端面１４の奥行方向奥側に寄った部位に沿わせられる構成としている。従って、支持部材２０の支持片部２３に踏板１２を載せ、支持部材２０を介して踏板１２を側板１０に固定した状態で、支持部材２０の固定片部２１が踏板１２の前端面１５よりも前方に突出するようなことがなく、目立ち易くなる踏板１２の前端面１５側の見栄えを向上させることができる。また、踏板１２の前端面１５よりも奥側に位置する支持部材２０の固定片部２１の前縁に当接または近接させるように表面仕上材４を貼着することができる。これにより、固定片部２１の前縁に沿う表面仕上材４の縁部に切断誤差等があるような場合にも、目立ち難くすることができる。つまり、上記同様、表面仕上材４の切断誤差等を吸収することができ、表面仕上材４の貼着作業性をより向上させることができる。なお、このような態様に代えて、支持部材２０の固定片部２１の奥行寸法を、踏板１２の奥行寸法と同寸法としたり、踏板１２の奥行寸法よりも大きい寸法としたりしてもよい。
【００４１】
また、本実施形態では、支持部材２０に、踏板１２側に向けて突出する係合突部２５を設け、踏板１２に、係合突部２５が嵌め入れられて支持部材２０に対する奥行方向の位置決めを可能とする係合凹部（係合凹溝）１８を設けている。従って、支持部材２０の係合突部２５を踏板１２の係合凹溝１８に嵌め入れることで、支持部材２０に対して踏板１２の奥行方向の位置決めを容易に行うことができ、施工性を向上させることができる。なお、支持部材２０側に係合凹部を設け、踏板１２側に係合突部を設けた態様としてもよく、さらには、このような係合突部及び係合凹部を設けない態様としてもよい。
【００４２】
また、本実施形態では、蹴込板２６と、この蹴込板２６の下端部を支持する下端支持部材２７と、蹴込板２６の側板１０側の側端部に係合し、側板１０に沿うように固定される側端係合部材２８と、を備えている。従って、上下に隣り合う踏板１２，１２間を覆うように蹴込板２６を設けることができる。また、蹴込板２６の施工性を向上させることができる。
また、支持部材２０の支持片部２３を、その前端が下段側の踏板１２の奥側端面１６に固定された蹴込板２６よりも奥行方向奥側に位置するように固定される構成としている。従って、蹴込板２６の上端部と上段側の踏板１２を支持する支持部材２０の支持片部２３との干渉を抑制することができ、また、蹴込板２６によってこの支持片部２３を目立ち難くすることができる。
【００４３】
また、本実施形態では、上記のように、下端支持部材２７及び側端係合部材２８を、踏板１２を施工した後に、後付的に蹴込板２６を取付可能な構成としている。これによれば、施工当初は、蹴込板２６のないいわゆるオープン階段（ストリップ階段）とし、施主の要望等に応じて、後付的に蹴込板２６を設けるようなことも可能となる。
なお、下端支持部材２７及び側端係合部材２８の両方または一方を設けないようにしてもよい。この場合は、蹴込板２６を、下段側の踏板１２の後端面１６や、側板１０、上段側の踏板１２の下面１７等に直接的に固定するようにしてもよい。さらには、このような蹴込板２６を設けないようにしてもよい。つまりは、当該階段装置１を、蹴込板のないいわゆるストリップ階段として施工されるものとしてもよい。
【符号の説明】
【００４４】
１        階段装置
１０      側板
１１      位置決め凹所
１２      踏板
１４      一側端面（幅方向一側端面）
１６      後端面（奥側端面）
１７      下面
１８      係合凹溝（係合凹部）
２０      支持部材
２１      固定片部
２１ａ    内側面（踏板側に向く面）
２３      支持片部
２５      係合突部
２６      蹴込板
２７      下端支持部材
２８      側端係合部材
２        壁下地
３        下地ボード
４        表面仕上材
４ａ      表面
【図１】
2015017426.tif 000003
【図２】
2015017426.tif 000004
【図３】
2015017426.tif 000005
【図４】
2015017426.tif 000006